(57)【要約】【課題】住宅内の空気の水分含有状態に応じて調湿運転と換気運転とに適切に切り換えて運転し得る空調装置を提供する。【解決手段】給気風路Ｖｓに通風作用する給気送風手段７と、排気風路Ｖｅに通風作用する排気送風手段９と、給気風路Ｖｓを通流する外気から吸湿した水分を排気風路Ｖｅを通流する内気に放湿する形態で調湿作用する調湿手段Ｂと、運転を制御する運転制御手段１３とが設けられ、その運転制御手段１３が、調湿手段Ｂを調湿作用させる調湿運転と、調湿手段Ｂの調湿作用を停止させる換気運転とに切り換え自在に構成された空調装置であって、調湿手段Ｂにて放湿される前の内気の絶対湿度を検出する絶対湿度検出手段Ｍが設けられ、運転制御手段１３が、絶対湿度検出手段Ｍの検出情報に基づいて、内気の絶対湿度が調湿運転用条件になると調湿運転を実行し、内気の絶対湿度が換気運転用条件になると換気運転を実行するように構成されている。【選択図】図１
2008145018.tif 000002
【特許請求の範囲】
【請求項１】
外気を供給用空気として住宅内に供給する給気風路に通風作用する給気送風手段と、
住宅内の空気である内気を排出用空気として住宅外に排出する排気風路に通風作用する排気送風手段と、
前記給気風路を通流する外気から吸湿した水分を前記排気風路を通流する内気に放湿する形態で調湿作用する調湿手段と、
運転を制御する運転制御手段とが設けられ、
その運転制御手段が、前記調湿手段を調湿作用させる調湿運転と、前記調湿手段の調湿作用を停止させる換気運転とに切り換え自在に構成された空調装置であって、
前記調湿手段にて放湿される前の内気の絶対湿度を検出する絶対湿度検出手段が設けられ、
前記運転制御手段が、前記絶対湿度検出手段の検出情報に基づいて、内気の絶対湿度が調湿運転用条件になると前記調湿運転を実行し、内気の絶対湿度が換気運転用条件になると前記換気運転を実行するように構成されている空調装置。
【請求項２】
外気を供給用空気として住宅内に供給する給気風路に通風作用する給気送風手段と、
住宅内の空気である内気を排出用空気として住宅外に排出する排気風路に通風作用する排気送風手段と、
前記排気風路を通流する内気から吸湿した水分を前記給気風路を通流する外気に放湿する形態で調湿作用する調湿手段と、
運転を制御する運転制御手段とが設けられ、
その運転制御手段が、前記調湿手段を調湿作用させる調湿運転と、前記調湿手段の調湿作用を停止させる換気運転とに切り換え自在に構成された空調装置であって、
前記調湿手段にて吸湿される前の内気の絶対湿度を検出する絶対湿度検出手段が設けられ、
前記運転制御手段が、前記絶対湿度検出手段の検出情報に基づいて、内気の絶対湿度が調湿運転用条件になると前記調湿運転を実行し、内気の絶対湿度が換気運転用条件になると前記換気運転を実行するように構成されている空調装置。
【請求項３】
前記調湿手段が、一部を前記給気風路に位置させ且つ他の一部を前記排気風路に位置させるように配置されて駆動手段により駆動回転される調湿体、及び、前記給気風路における前記調湿体よりも通風方向上手側箇所にて外気に対して加熱作用する加熱手段を備えて構成され、
前記運転制御手段が、前記調湿運転において、前記駆動手段を作動させかつ前記加熱手段を加熱作用状態にして前記調湿手段を調湿作用させるように構成され、且つ、前記換気運転として、前記駆動手段を停止させかつ前記加熱手段を加熱停止状態にして前記調湿手段の調湿作用を停止させる通常換気運転と、前記駆動手段を停止させかつ前記加熱手段を加熱作用状態にして前記調湿手段の調湿作用を停止させる温風換気運転とに切り換え自在に構成されている請求項２記載の空調装置。
【請求項４】
前記給気風路が、供給用空気を住宅内の複数の空調対象空間に供給すべく複数に分岐され、
前記排気風路における内気の吸引部が、前記複数の空調対象空間に通気可能に連通された住宅内の特定の空間に吸引作用するように構成されている請求項１〜３のいずれか１項に記載の空調装置。
【請求項５】
前記調湿運転用条件及び前記換気運転用条件を変更設定する設定手段が設けられている請求項１〜４のいずれか１項に記載の空調装置。
【請求項６】
前記絶対湿度検出手段にて検出された内気の絶対湿度が複数段階の湿度高低区分のうちのいずれであるかを表示する表示手段が設けられている請求項１〜５のいずれか１項に記載の空調装置。
【請求項７】
前記絶対湿度検出手段が、内気の温度を検出する温度検出手段と、内気の相対湿度を検出する相対湿度検出手段と、それら温度検出手段及び相対湿度検出手段夫々の検出情報に基づいて絶対湿度を求める絶対湿度導出手段とを備えて構成され、
その絶対湿度導出手段が、温度及び相対湿度と絶対湿度との関係を示す絶対湿度導出用情報に基づいて、絶対湿度を求めるように構成されている請求項１〜６のいずれか１項に記載の空調装置。
【発明の詳細な説明】
【技術分野】
【０００１】
本発明は、外気を供給用空気として住宅内に供給する給気風路に通風作用する給気送風手段と、
住宅内の空気である内気を排出用空気として住宅外に排出する排気風路に通風作用する排気送風手段と、
前記給気風路を通流する外気から吸湿した水分を前記排気風路を通流する内気に放湿する形態で調湿作用する調湿手段と、
運転を制御する運転制御手段とが設けられ、
その運転制御手段が、前記調湿手段を調湿作用させる調湿運転と、前記調湿手段の調湿作用を停止させる換気運転とに切り換え自在に構成された空調装置、及び、
外気を供給用空気として住宅内に供給する給気風路に通風作用する給気送風手段と、
住宅内の空気である内気を排出用空気として住宅外に排出する排気風路に通風作用する排気送風手段と、
前記排気風路を通流する内気から吸湿した水分を前記給気風路を通流する外気に放湿する形態で調湿作用する調湿手段と、
運転を制御する運転制御手段とが設けられ、
その運転制御手段が、前記調湿手段を調湿作用させる調湿運転と、前記調湿手段の調湿作用を停止させる換気運転とに切り換え自在に構成された空調装置に関する。
【背景技術】
【０００２】
かかる空調装置は、調湿手段を調湿作用させて、外気を調湿手段にて除湿して住宅内に供給する調湿運転を行うようにして、住宅内を換気しながら除湿するようにしたもの、あるいは、調湿手段を調湿作用させて、外気を調湿手段にて加湿して住宅内に供給する調湿運転を行うようにして、住宅内を換気しながら加湿するようにしたものである（例えば、特許文献１参照。）。
【０００３】
上記の特許文献１には明確に記載されていないが、このような空調装置では、住宅内を除湿又は加湿する調湿が不要なときには、調湿を行わずに単に住宅内の換気が行えるように、調湿手段の調湿作用を停止させる換気運転に切り換えることができるように構成してある。
そして、このような空調装置において、従来では、調湿運転と換気運転との切り換えは、住宅の住人等の人為操作により行うように構成していた。
【０００４】
【特許文献１】特開２００３−４２５５号公報
【発明の開示】
【発明が解決しようとする課題】
【０００５】
しかしながら、従来では、調湿運転と換気運転との切り換えを人為操作により行うものであるので、住宅内の空気中の水分含有量の多少を示す水分含有状態に応じて、調湿運転と換気運転とに適切に切り換えて運転することができないという問題があった。
説明を加えると、空気中の水分含有量の多少は、温度の高低に比べて人には分かり難いものであるので、人為操作では、住宅内の空気の水分含有状態に応じた調湿運転と換気運転との切り換えを適切に行い難いものである。
例えば、外気の湿度が低くて除湿が不要なときに除湿による調湿運転を行ったり、外気の湿度が高くて加湿が不要なときに加湿による調湿運転を行う等、調湿運転と換気運転との切り換えを適切に行い難いものである。
又、調湿運転と換気運転との切り換えを忘れてしまって、調湿が不要なときに調湿運転が行われたり、調湿が必要なときに調湿運転が行われないという不都合も発生する。
【０００６】
本発明は、かかる実情に鑑みてなされたものであり、その目的は、住宅内の空気の水分含有状態に応じて調湿運転と換気運転とに適切に切り換えて運転し得る空調装置を提供することにある。
【課題を解決するための手段】
【０００７】
本発明の空調装置の第１特徴構成は、外気を供給用空気として住宅内に供給する給気風路に通風作用する給気送風手段と、
住宅内の空気である内気を排出用空気として住宅外に排出する排気風路に通風作用する排気送風手段と、
前記給気風路を通流する外気から吸湿した水分を前記排気風路を通流する内気に放湿する形態で調湿作用する調湿手段と、
運転を制御する運転制御手段とが設けられ、
その運転制御手段が、前記調湿手段を調湿作用させる調湿運転と、前記調湿手段の調湿作用を停止させる換気運転とに切り換え自在に構成されたものであって、
前記調湿手段にて放湿される前の内気の絶対湿度を検出する絶対湿度検出手段が設けられ、
前記運転制御手段が、前記絶対湿度検出手段の検出情報に基づいて、内気の絶対湿度が調湿運転用条件になると前記調湿運転を実行し、内気の絶対湿度が換気運転用条件になると前記換気運転を実行するように構成されている点を特徴とする。
【０００８】
即ち、絶対湿度検出手段により、調湿手段にて放湿される前の内気の絶対湿度が検出される。
そして、運転制御手段は、絶対湿度検出手段の検出情報に基づいて、内気の絶対湿度が調湿運転用条件になると調湿運転を実行し、内気の絶対湿度が換気運転用条件になると換気運転を実行する。
【０００９】
つまり、調湿手段にて放湿される前の内気の絶対湿度は、住宅内の空調対象空間における絶対湿度に対応するものであり、しかも、その絶対湿度は、空気中の水分量を示すものであって、相対湿度のように検出値が空気の温度に左右されないものである。
調湿運転用条件としては、除湿による調湿運転を行う必要がある絶対湿度の状態を示す条件に設定し、一方、換気運転用条件としては、調湿運転を行わずに換気運転を行う必要がある絶対湿度の状態を示す条件に設定する。
そして、絶対湿度検出手段の検出情報に基づいて、内気の絶対湿度が調湿運転用条件になると調湿運転を実行し、内気の絶対湿度が換気運転用条件になると換気運転を実行するようにすることにより、住宅内の空気の水分含有状態に応じた調湿運転と換気運転との切り換えを適切に行うことが可能となる。
【００１０】
ちなみに、調湿手段にて放湿される前の内気の相対湿度を検出する相対湿度検出手段を設けて、その相対湿度検出手段の検出情報に基づいて、除湿による調湿運転と換気運転とに切り換えるように構成することが想定される。
しかしながら、水分含有量が同じであっても相対湿度は空気の温度に応じて変化するので、住宅内の空気の水分含有状態に応じた調湿運転と換気運転との切り換えを適切に行い難いものである。
説明を加えると、例えば、温度が３０°Ｃで相対湿度が５０％の空気は、温度が２０°Ｃになると相対湿度が９０％程度になるので、例えば、相対湿度が７０％以上では調湿運転を行い、相対湿度が７０％よりも低い場合は換気運転を行うように構成すると、絶対湿度が同じ状態でも、冷房の有無等により内気の温度が異なるときには、調湿運転が行われたり換気運転が行われたりすることになり、住宅内の空気の水分含有状態に応じた調湿運転と換気運転との切り換えを適切に行い難いものである。
従って、住宅内の空気の水分含有状態に応じて調湿運転と換気運転とに適切に切り換えて運転し得る空調装置を提供することができるようになった。
【００１１】
第２特徴構成は、外気を供給用空気として住宅内に供給する給気風路に通風作用する給気送風手段と、
住宅内の空気である内気を排出用空気として住宅外に排出する排気風路に通風作用する排気送風手段と、
前記排気風路を通流する内気から吸湿した水分を前記給気風路を通流する外気に放湿する形態で調湿作用する調湿手段と、
運転を制御する運転制御手段とが設けられ、
その運転制御手段が、前記調湿手段を調湿作用させる調湿運転と、前記調湿手段の調湿作用を停止させる換気運転とに切り換え自在に構成されたものであって、
前記調湿手段にて吸湿される前の内気の絶対湿度を検出する絶対湿度検出手段が設けられ、
前記運転制御手段が、前記絶対湿度検出手段の検出情報に基づいて、内気の絶対湿度が調湿運転用条件になると前記調湿運転を実行し、内気の絶対湿度が換気運転用条件になると前記換気運転を実行するように構成されている点を特徴とする。
【００１２】
即ち、絶対湿度検出手段により、調湿手段にて吸湿される前の内気の絶対湿度が検出される。
そして、運転制御手段は、絶対湿度検出手段の検出情報に基づいて、内気の絶対湿度が調湿運転用条件になると調湿運転を実行し、内気の絶対湿度が換気運転用条件になると換気運転を実行する。
【００１３】
つまり、調湿手段にて吸湿される前の内気の絶対湿度は、住宅内の空調対象空間における絶対湿度に対応するものであり、しかも、その絶対湿度は、空気中の水分量を示すものであって、相対湿度のように検出値が空気の温度に左右されないものである。
調湿運転用条件としては、加湿による調湿運転を行う必要がある絶対湿度の状態を示す条件に設定し、一方、換気運転用条件としては、調湿運転を行わずに換気運転を行う必要がある絶対湿度の状態を示す条件に設定する。
そして、絶対湿度検出手段の検出情報に基づいて、内気の絶対湿度が調湿運転用条件になると調湿運転を実行し、内気の絶対湿度が換気運転用条件になると換気運転を実行するようにすることにより、住宅内の空気の水分含有状態に応じた調湿運転と換気運転との切り換えを適切に行うことが可能となる。
【００１４】
ちなみに、調湿手段にて吸湿される前の内気の相対湿度を検出する相対湿度検出手段を設けて、その相対湿度検出手段の検出情報に基づいて、加湿による調湿運転と換気運転とに切り換えるように構成することが想定されるが、相対湿度は水分含有量が同じであっても空気の温度に応じて変化するので、以下に説明するように、住宅内の空気の水分含有状態に応じた調湿運転と換気運転との切り換えを適切に行い難いものである。
説明を加えると、例えば、温度が２０°Ｃで相対湿度が５０％の空気は、温度が１２°Ｃになると相対湿度が８５％程度になるので、例えば、相対湿度が６０％以下では調湿運転を行い、相対湿度が６０％よりも高い場合は換気運転を行うように構成すると、絶対湿度が同じ状態でも、暖房の有無等により内気の温度が異なるときには、調湿運転が行われたり換気運転が行われたりすることになり、住宅内の空気の水分含有状態に応じた調湿運転と換気運転との切り換えを適切に行い難いものである。
従って、住宅内の空気の水分含有状態に応じて調湿運転と換気運転とに適切に切り換えて運転し得る空調装置を提供することができるようになった。
【００１５】
第３特徴構成は、上記の第２特徴構成に加えて、
前記調湿手段が、一部を前記給気風路に位置させ且つ他の一部を前記排気風路に位置させるように配置されて駆動手段により駆動回転される調湿体、及び、前記給気風路における前記調湿体よりも通風方向上手側箇所にて外気に対して加熱作用する加熱手段を備えて構成され、
前記運転制御手段が、前記調湿運転において、前記駆動手段を作動させかつ前記加熱手段を加熱作用状態にして前記調湿手段を調湿作用させるように構成され、且つ、前記換気運転として、前記駆動手段を停止させかつ前記加熱手段を加熱停止状態にして前記調湿手段の調湿作用を停止させる通常換気運転と、前記駆動手段を停止させかつ前記加熱手段を加熱作用状態にして前記調湿手段の調湿作用を停止させる温風換気運転とに切り換え自在に構成されている点を特徴とする。
【００１６】
即ち、運転制御手段は、調湿運転においては、駆動手段を作動させ、且つ、加熱手段を加熱作用状態にして、調湿手段を調湿作用させる。
そして、この調湿運転においては、加熱手段にて加熱された外気が駆動回転される調湿体を通過するときに、調湿体に吸湿された内気の水分が放湿されて加湿されることになり、加湿並びに加熱された外気が供給用空気として住宅内に供給される。
又、運転制御手段は、換気運転として、駆動手段を停止させ且つ加熱手段を加熱停止状態にして調湿手段の調湿作用を停止させる通常換気運転と、駆動手段を停止させ且つ加熱手段を加熱作用状態にして調湿手段の調湿作用を停止させる温風換気運転とに切り換え自在である。
これら通常換気運転や温風換気運転では、調湿体の回転が停止されるので、調湿手段の調湿作用が停止されることになる。
そして、通常換気運転に切り換えられると、外気がそのまま供給用空気として住宅内に供給される形態で、住宅内が換気され、温風換気運転に切り換えられると、外気が加熱手段にて加熱された後に供給用空気として住宅内に供給される形態で、住宅内が換気される。
【００１７】
つまり、調湿運転においては、加湿並びに加熱された外気が供給用空気として住宅内に供給されるので、冬期等、外気の温度が低いときでも、住人が寒さを感じるのを抑制する状態で、住宅内を加湿することができる。
又、換気運転として、通常換気運転と温風換気運転とに切り換え自在に構成されているので、外気をそのまま供給用空気として住宅内に供給しても住人が寒さを感じる虞がないときには、通常換気運転を行い、外気をそのまま供給用空気として住宅内に供給すると住人が寒さを感じる虞があるときには、温風換気運転を行うようにすることが可能となり、住人が寒さを感じるのを抑制する状態で、住宅内を換気することができる。
従って、住人が寒さを感じるのを抑制する状態で、住宅内の加湿及び換気を行うことができるようになった。
【００１８】
第４特徴構成は、上記第１〜第３特徴構成のいずれかに加えて、
前記給気風路が、供給用空気を住宅内の複数の空調対象空間に供給すべく複数に分岐され、
前記排気風路における内気の吸引部が、前記複数の空調対象空間に通気可能に連通された住宅内の特定の空間に吸引作用するように構成されている点を特徴とする。
【００１９】
即ち、給気風路を通して、供給用空気が住宅内の複数の空調対象空間に供給され、住宅内の複数の空調対象空間の内気が住宅内の特定の空間に合流して、吸引部から吸引されて排気風路に流入する。
【００２０】
つまり、供給用空気が住宅内の複数の空調対象空間に供給されるので、複数の空調対象空間を調湿することができる。
そのように複数の空調対象空間を調湿する場合に、複数の空調対象空間の内気の温度や湿度は、冷房の有無や暖房の有無等により種々に異なるものである。
そのような場合に、一箇所の吸引部から合流状態で吸引される複数の空調対象空間からの内気の絶対湿度を検出することにより、各空調対象室の冷房の有無や暖房の有無に拘わらず、絶対湿度を、住宅内の複数の空調対象空間全体としての空気の水分含有状態を示すものとして検出することが可能となる。
そして、そのように検出した絶対湿度に基づいて、調湿運転と換気運転とに切り換えるので、住宅内の複数の空調対象空間の調湿を適切に行うことが可能となる。
【００２１】
第５特徴構成は、上記第１〜第４特徴構成のいずれかに加えて、
前記調湿運転用条件及び前記換気運転用条件を変更設定する設定手段が設けられている点を特徴とする。
【００２２】
即ち、設定手段により、調湿運転用条件や換気運転用条件を変更設定することができる。
つまり、住宅の住人の好みにより、調湿運転用条件や換気運転用条件を変更設定することができるので、より快適な状態に調湿することができる。
又、この第５特徴構成を上記の第４特徴構成に加えて実施する場合には、吸引部が吸引作用する住宅内の特定の空間と複数の空調対象空間との絶対湿度の関係に応じて、調湿運転用条件や換気運転用条件を変更設定することができる。
例えば、特定の空間が洗面所等の湿気の多い箇所に隣接している場合、絶対湿度検出手段による絶対湿度の検出値が、複数の空調対象空間の平均的な絶対湿度よりも高めになる。
このような場合は、調湿運転用条件や換気運転用条件を絶対湿度が高い側になる条件に変更設定することにより、複数の空調対象空間をより快適な状態に調湿することができる。
従って、空調対象空間をより快適な状態に調湿することができるようになった。
【００２３】
第６特徴構成は、上記第１〜第５特徴構成のいずれかに加えて、
前記絶対湿度検出手段にて検出された内気の絶対湿度が複数段階の湿度高低区分のうちのいずれであるかを表示する表示手段が設けられている点を特徴とする。
【００２４】
即ち、表示手段に、絶対湿度検出手段にて検出された内気の絶対湿度が複数段階の湿度高低区分のうちのいずれであるかが表示される。
つまり、住宅内の湿度の高低の状態を、空気中に含まれる水分量が同じであれば温度に左右されることのない絶対湿度を用いて、その絶対湿度の高低の段階として表示するので、住宅内の空気の水分含有状態を適切に、しかも、住宅の住人に分かり易い状態で表示することができる。
ちなみに、表示手段に絶対湿度検出手段にて検出された内気の絶対湿度そのものの値を表示する場合が想定されるが、絶対湿度そのものの値は、空気中の湿度の高低の状態が分かり難いものである。
又、表示手段に内気の相対湿度を表示することが想定されるが、空気中に含まれる水分量が同じであっても、相対湿度は空気の温度に左右されるので、湿度の高低の状態を適切に表示することができない。
従って、住宅内の空気の水分含有状態を適切にしかも住宅の住人に分かり易い状態で表示することができるようになった。
【００２５】
第７特徴構成は、上記第１〜第６特徴構成のいずれかに加えて、
前記絶対湿度検出手段が、内気の温度を検出する温度検出手段と、内気の相対湿度を検出する相対湿度検出手段と、それら温度検出手段及び相対湿度検出手段夫々の検出情報に基づいて絶対湿度を求める絶対湿度導出手段とを備えて構成され、
その絶対湿度導出手段が、温度及び相対湿度と絶対湿度との関係を示す絶対湿度導出用情報に基づいて、絶対湿度を求めるように構成されている点を特徴とする。
【００２６】
即ち、温度検出手段により内気の温度が検出され、相対湿度検出手段により内気の相対湿度が検出され、絶対湿度導出手段により、それら温度検出手段及び相対湿度検出手段夫々の検出情報、並びに、温度及び相対湿度と絶対湿度との関係を示す絶対湿度導出用情報に基づいて、絶対湿度が求められる。
【００２７】
つまり、空気の温度及び相対湿度と絶対湿度との間には一定の関係があるので、内気の温度と相対湿度とを検出することにより、内気の絶対湿度を求めることができる。
そして、温度検出手段や相対湿度検出手段は安価なものであるので、絶対湿度検出手段をそれら温度検出手段や相対湿度検出手段を用いて構成することにより、絶対湿度検出手段を、絶対湿度を直接検出するように構成した、所謂、絶対湿度センサにて構成する場合に比べて、低廉化を図ることができる。
従って、低廉化を図りながら、住宅内の空気の水分含有状態に応じて調湿運転と換気運転とに適切に切り換えることができるようになった。
【発明を実施するための最良の形態】
【００２８】
〔第１実施形態〕
以下、本発明の第１実施形態を説明する。
図１に示すように、空調装置は、外気ＯＡを装置内に吸い込むための外気吸込口１、その装置内に吸い込んだ外気ＯＡを供給用空気ＳＡとして住宅内に供給するための給気送出口２、住宅内の空気（以下、内気と称する）ＲＡを装置内に吸い込むための内気吸込口３及びその装置内に吸い込んだ内気ＲＡを排出用空気ＥＡとして屋外に排出するための排気送出口４を備えたケーシング５を用いて組み付けて構成してある。
【００２９】
図１１に示すように、空調装置Ｄを住宅の天井裏等に設置して、屋外から外気ＯＡを導入する外気導入ダクト６１を前記外気吸込口１に接続し、住宅内の複数の空調対象空間としての複数の空調対象室６２夫々の天井の給気口６３に分岐接続した給気ダクト６４を前記給気送出口２に接続し、廊下６５の天井に設けた１個の排気口６６に接続した排気ダクト６７を前記内気吸込口３に接続し、内気ＲＡを屋外に排出する排気導出ダクト６８を前記排気送出口４に接続する。
そして、外気導入ダクト６１を通じて導入した外気ＯＡを調湿して供給用空気ＳＡとして給気ダクト６４を通じて各給気口６３から各空調対象室６２に供給する共に、ドアのアンダーカット等から廊下６５に流出した各空調対象室６２の内気ＲＡを合流状態で排気口６６から前記排気ダクト６７を通じて吸込んで、排出用空気ＥＡとして前記排気導出ダクト６８を通じて屋外に排出するように構成してある。
【００３０】
この第１実施形態の空調装置は、除湿タイプであり、この除湿タイプの空調装置は、図１に示すように、外気ＯＡを供給用空気ＳＡとして空調対象室６２に供給する給気風路Ｖｓに通風作用する給気送風手段としての給気送風機７と、住宅内の空気である内気ＲＡを排出用空気ＥＡとして屋外に排出する排気風路Ｖｅに通風作用する排気送風手段としての排気送風機９と、給気風路Ｖｓを通流する外気ＯＡから吸湿した水分を排気風路Ｖｅを通流する内気ＲＡに放湿する形態で調湿作用する調湿手段としての調湿部Ｂと、前記給気風路Ｖｓにおける前記調湿部Ｂにて外気ＯＡに吸湿作用させる箇所よりも通風方向下手側箇所を通流する外気ＯＡと前記排気風路Ｖｅにおける前記調湿部Ｂにて内気ＲＡに放湿作用させる箇所よりも通風方向上手側箇所を通流する内気ＲＡとを熱交換させる顕熱交換部Ｓと、前記調湿部Ｂにて放湿される前の内気ＲＡの絶対湿度を検出する絶対湿度検出手段としての絶対湿度検出部Ｍと、この空調装置の運転を制御する運転制御手段としての運転制御部１３と、その運転制御部１３に各種制御情報を指令する遠隔操作式の操作部１４等を備えて構成してある。
【００３１】
前記給気風路Ｖｓは、前記ケーシング５の内部に形成した内部給気路６と、その内部給気路６における通風方向上手側に接続した前記外気導入ダクト６１と、その内部給気路６における通風方向下手側に接続した前記給気ダクト６４とを備えて構成してある。
又、前記排気風路Ｖｅは、前記ケーシング６の内部に形成した内部排気路８と、その内部排気路８における通風方向上手側に接続した前記排気ダクト６７と、その内部排気路８における通風方向下手側に接続した前記排気導出ダクト６８とを備えて構成してある。
つまり、前記給気風路Ｖｓを、供給用空気ＳＡを住宅内の複数の空調対象湿室６２に供給すべく複数に分岐し、前記排気風路Ｖｅにおける内気ＲＡの吸引部としての排気口６６を、前記複数の空調対象室６２にドアのアンダーカット等を介して通気可能に連通された住宅内の特定の空間である廊下６５に吸引作用するように構成してある。
【００３２】
以下、空調装置の各部について説明を加える。
図１ないし図３に示すように、前記ケーシング５は、薄型状の直方体形状に形成し、その厚さ方向視における４つの側壁のうちの一側壁に、第１吸込口５ａ及び第２送出口５ｄを並べて設け、それら第１吸込口５ａ及び第２送出口５ｄを設けた側壁に対向する側壁に、第２吸込口５ｃ及び第１送出口５ｂを第２吸込口５ｃが前記第１吸込口５ａと同じ側に位置する状態で並べて設けてある。
【００３３】
前記ケーシング５の内部を、中間隔壁１５にて、前記第１吸込口５ａ及び前記第２吸込口５ｃの側の風路形成部１６と、前記第２送出口５ｄ及び前記第１送出口５ｂの側の送風機室形成部１７とに仕切り、更に、その送風機室形成部１７を、送風機室隔壁１８にて、前記第１送出口５ｂの側の第１送風機室１９と前記第２送出口５ｄの側の第２送風機室２０とに仕切ってある。
【００３４】
図１、図２及び図４に基づいて、前記調湿部Ｂについて説明を加える。
この調湿部Ｂは、一部を前記給気風路Ｖｓに位置させ且つ他の一部を前記排気風路Ｖｅに位置させるように配置される調湿ロータ１０及びその調湿ロータ１０における前記給気風路Ｖｓに位置させる部分及び前記排気風路Ｖｅに位置させる部分を回転に伴って変更させるように前記調湿ロータ１０を駆動回転する駆動手段としての電動モータ１１を備えた潜熱交換ユニットＬと、前記排気風路Ｖｅにおける前記顕熱交換部Ｓと前記調湿ロータ１０との間の箇所を通流する空気に対して加熱作用する除湿用加熱器１２とを備えて構成してある。
【００３５】
前記調湿ロータ１０は、円盤状でその軸心方向に通気自在なハニカム状の基材に吸湿材（シリカゲルや塩化リチウム等）を保持して構成し、その外周部に全周にわたってギア部２１を設けてある。
前記潜熱交換ユニットＬは、前記調湿ロータ１０をその軸心にて回転自在に矩形枠状の支持枠２２に支持すると共に、その支持枠２２に、前記電動モータ１１をその出力軸に設けたギア２３を前記調湿ロータ１０の外周部のギア部２１に噛み合わせた状態で設けて、ユニット状に構成してある。
そして、電動モータ１１を作動させることにより、調湿ロータ１０を軸芯周りに駆動回転するように構成してある。
【００３６】
前記支持枠２２における前記調湿ロータ１０の軸心方向に並ぶ両側部の夫々には、一対の概ね半円状の開口２２ｗを、前記軸心方向視において一方の側部の開口２２ｗと他方の側部の開口２２ｗとが重なる状態で形成してある。
その支持枠２２の各開口２２ｗには、シール材２４をその先端が前記調湿ロータ１０に当接する状態で各開口２２ｗの全周にわたって嵌め込んで設けてある。
【００３７】
図１に示すように、前記顕熱交換部Ｓは、第１熱交換流路（図示省略）及び第２熱交換流路（図示省略）を直交する状態で且つ夫々の熱交換流路を通流する流体同士で熱交換される状態で備えた静止型の顕熱交換器２５にて構成してある。
説明を加えると、この顕熱交換器２５は、厚さ方向視の形状が略正方形状の直方体又は立方体状であり、図示は省略するが、厚さ方向に複数の第１熱交換流路及び複数の第２熱交換流路が隔壁を隔てて交互に並ぶ形態でアルミニウム等の熱伝導率の高い材料にて形成してある。
そして、この顕熱交換器２５における厚さ方向視での４つの側面のうちの１つの側面２５ａには、前記複数の第１熱交換流路の入口側開口部が形成され、その側面２５ａとは反対側の側面２５ｂには、前記複数の第１熱交換流路の出口側開口部が形成され、残りの２つの側面のうちの１つの側面２５ｃには、前記複数の第２熱交換流路の入口側開口部が形成され、その側面２５ｃとは反対側の側面２５ｄには、前記複数の第２熱交換流路の出口側開口部が形成されている。
【００３８】
そして、図１に示すように、前記潜熱交換ユニットＬ及び前記顕熱交換器２５を、前記ケーシング５内における前記風路形成部１６内に、潜熱交換ユニットＬを第１吸込口５ａの側に位置させる状態で第１吸込口５ａ及び第２吸込口５ｃの並び方向に並べて設けてある。
潜熱交換ユニットＬは、一対の開口２２ｗが前記ケーシング５の横幅方向に並ぶ姿勢で、前記ケーシング５内における前記風路形成部１６内を第１吸込口５ａの側の部分と第２吸込口５ｃの側の部分とに仕切る状態で設け、更に、その前記風路形成部１６内における潜熱交換ユニットＬよりも第１吸込口５ａの側の部分を、風路仕切り壁２６により、潜熱交換ユニットＬの一対の開口２２ｗのうちの一方と前記第１吸込口５ａが臨む第１吸込室２７と、潜熱交換ユニットＬの一対の開口２２ｗのうちの他方が臨む第２送出室２８とに仕切ってある。
【００３９】
前記顕熱交換器２５を、前記複数の第１熱交換流路の入口側開口部が形成された側面２５ａを前記中間隔壁１５の側とは反対側に向けた姿勢で、その側面２５ａと前記複数の第２熱交換流路の出口側開口部が形成された側面２５ｄとにより形成される角部２５ｅを潜熱交換ユニットＬ側に向けてその調湿ロータ１０に近接させた状態で設けて、前記風路形成部１６内における潜熱交換ユニットＬよりも前記第１吸込口５ａの側の部分を、前記複数の第１熱交換流路の入口側開口部が形成された側面２５ａと前記潜熱交換ユニットＬの一対の開口２２ｗのうちの一方とが臨む第１接続室２９、前記複数の第１熱交換流路の出口側開口部が形成された側面２５ｂが臨む第１送出室３０、前記複数の第２熱交換流路の入口側開口部が形成された側面２５ｃ及び前記第２吸込口５ｃが臨む第２吸込室３１、及び、前記複数の第２熱交換流路の出口側開口部が形成された側面２５ｄと前記潜熱交換ユニットＬの一対の開口２２ｗのうちの他方とが臨む第２接続室３２の４室に仕切ってある。
尚、潜熱交換ユニットＬにおける一対の開口部２２ｗの境界部分と顕熱交換器２５の前記角部２５ｅとわたって風路仕切り壁３３を設けて、その風路仕切り壁３３にて前記第１接続室２９と前記第２接続室３２とを仕切ってある。
【００４０】
前記顕熱交換器２５の配置形態について説明を加えると、この顕熱交換器２５は、その複数の第２熱交換流路の出口側開口部が形成された側面２５ｄが、前記調湿ロータ１０の軸芯方向の端面と４５°よりも小さい角度（例えば、２５°）で対向する状態に設けてある。
【００４１】
図１及び図３に示すように、前記中間隔壁１５には、前記第１送出室３０と前記第１送風機室１９とを連通する第１連通開口３４、及び、前記第２送出室２８と前記第２送風機室２０とを連通する第２連通開口３５を形成してある。
【００４２】
前記除湿用加熱器１２は、熱媒を通流させる熱媒流通管（図示省略）を空気の通過が可能なように蛇行状に配管した熱媒循環式に構成し、図１に示すように、その除湿用加熱器１２を、前記第２接続室３２内に、前記顕熱交換器２５における前記複数の第２熱交換流路の出口が形成された側面２５ｄに近接させた状態で設けてある。
そして、その除湿用加熱器１２と熱源機（図示省略）とを熱媒循環路３６にて接続して、その熱源機にて加熱した熱媒を熱媒循環路３６を通じて除湿用加熱器１２に循環供給するように構成してある。
そして、前記熱媒循環路３６に除湿用熱動弁３７を設けて、その除湿用熱動弁３７を開閉して前記除湿用加熱器１２への熱媒の供給を断続することにより、前記除湿用加熱器１２を加熱作用状態と加熱停止状態とに切り換え自在に構成してある。
【００４３】
図１に示すように、前記第１吸込口５ａ、前記第２吸込口５ｃには、夫々、通過する空気から除塵する第１フィルタ３８、第２フィルタ３９を設けてある。
【００４４】
この第１実施形態においては、前記第１吸込口５ａを前記外気吸込口１として、前記第１送出口５ｂを前記給気送出口２として夫々用い、前記給気送風機７を前記第１連通開口３４に吸引作用するように前記第１送風機室１９内に設けて、前記内部給気路６を、前記第１吸込室２７、前記第１接続室２９及び前記第１送出室３０を備えて構成してある。
そして、前記給気送風機７を作動させることにより、前記外気吸込口１から吸い込んだ外気ＯＡを、第１吸込室２７、調湿ロータ１０、第１接続室２９、顕熱交換器２５の第１熱交換流路、第１送出室３０、第１連通開口３４を順次通過させる形態で、内部給気路６を通して通流させて、給気送出口２から供給用空気ＳＡとして送出するように構成してある。
【００４５】
又、前記第２吸込口５ｃを前記内気吸込口３として、前記第２送出口５ｄを前記排気送出口４として夫々用い、前記排気送風機９を前記第２連通開口３５に吸引作用するように前記第２送風機室２０内に設けて、前記内部排気路８を、前記第２吸込室３１、前記第２接続室３２及び前記第２送出室２８とを備えて構成してある。
そして、前記排気送風機９を作動させることにより、前記内気吸込口３から吸い込んだ内気ＲＡを、第２吸込室３１、顕熱交換器２５の第２熱交換流路、第２接続室３２、調湿ロータ１０、第２送出室２８、第２連通開口３５を順次通過させる形態で、内部排気路８を通して通流させて、排気送出口４から排出用空気ＥＡとして送出するように構成してある。
【００４６】
前記絶対湿度検出部Ｍは、前記内部排気路８における前記顕熱交換器２５よりも通風方向上手側箇所に設けて、内気ＲＡの温度を検出する温度検出手段としての温度センサＴと、前記内部排気路８における前記顕熱交換器２５よりも通風方向上手側箇所に設けて、内気ＲＡの相対湿度を検出する相対湿度検出手段としての相対湿度センサＨと、それら温度センサＴ及び相対湿度センサＨの検出情報に基づいて絶対湿度を導出する絶対湿度導出手段としての絶対湿度導出部Ｃとを備えて構成してある。
この絶対湿度導出部Ｃは、前記運転制御部１３を用いて構成してある。
【００４７】
前記絶対湿度導出部Ｃについて説明を加えると、この絶対湿度導出部Ｃは、温度及び相対湿度と絶対湿度との関係を示す絶対湿度導出用情報に基づいて、絶対湿度を求めるように構成されている。
具体的には、予め、温度及び相対湿度と絶対湿度との関係を求めて、図６に示す如きマップデータを作成して、そのマップデータを絶対湿度導出用情報として前記絶対湿度導出部Ｃに記憶させてある。ちなみに、このマップデータは、１°Ｃ毎の温度及び１％毎の相対湿度と絶対湿度との関係として求めてある。
【００４８】
又、図７に示すように、絶対湿度（ｇ／ｋｇ）の高低を示す絶対湿度の段階を複数（この実施形態では７段階）設定して、絶対湿度段階情報として前記絶対湿度導出部Ｃに記憶させてある。
例えば、絶対湿度α１以下は１段階絶対湿度、α１〜α２は２段階絶対湿度、α２〜α３は３段階絶対湿度、……………、α５〜α６は６段階絶対湿度、α６以上は７段階絶対湿度に設定してある。但し、α１＜α２＜α３……………α５＜α６である。
更に、図７に示すように、快適な絶対湿度範囲として、３段階絶対湿度から６段階絶対湿度の範囲を設定してある。
【００４９】
そして、絶対湿度導出部Ｃは、このマップデータ及び段階情報から、温度センサＴの検出温度及び相対湿度センサＨの検出相対湿度に対応する絶対湿度の段階を求めるように構成してある。
例えば、温度センサＴの検出温度が２３°Ｃで、相対湿度センサＨの検出相対湿度が４５％の場合は、４段階絶対湿度であると求められる。
【００５０】
前記運転制御部１３は、前記給気送風機７及び前記排気送風機９を作動させ、並びに、前記調湿ロータ１０を調湿用設定速度で回転駆動し且つ前記除湿用加熱器１２を加熱作用状態にして、調湿部Ｂを調湿作用させる除湿換気運転（調湿運転に相当する）と、前記給気送風機７及び前記排気送風機９を作動させ、並びに、前記調湿ロータ１０を停止させ且つ前記除湿用加熱器１２を加熱停止状態にして、調湿部Ｂの調湿作用を停止させる通常換気運転（換気運転に相当する）とに切り換え自在に構成してある。
そして、前記運転制御部１３は、絶対湿度検出部Ｍの検出情報に基づいて、内気の絶対湿度が除湿運転用条件（調湿運転用条件に相当する）になると前記除湿換気運転を実行し、内気の絶対湿度が換気運転用条件になると前記通常換気運転を実行するように構成してある。
ちなみに、前記除湿運転用条件としては、内気の絶対湿度が設定段階以上である条件に設定し、前記換気運転用条件としては、内気の絶対湿度が設定段階よりも小さい条件に設定してある。
【００５１】
図１に示すように、前記操作部１４には、前記除湿換気運転と前記通常換気運転とに切り換える運転切換スイッチ５１、前記除湿運転用条件及び前記換気運転用条件を変更設定する設定手段としての設定部５２、及び、前記絶対湿度検出部Ｍにて検出された内気の絶対湿度が複数段階の湿度高低区分のうちのいずれであるかを表示する表示手段としての表示部５３等を設けてある。
【００５２】
前記表示部５３は、図５に示すように、前記絶対湿度導出部Ｃにて求められる絶対湿度の段階の数と同数のセグメント５３ｓを備えて構成し、更に、複数のセグメント５３ｓのうちで快適な絶対湿度範囲に属するセグメント５３ｓを識別できるように、「快適」の範囲を印刷等で表示してある。
そして、前記運転制御部１３は、複数のセグメント５３ｓのうち、前記絶対湿度導出部Ｃにて求められた絶対湿度の段階に対応するセグメント５３ｓを他のセグメント５３ｓとは異なる表示状態（例えば表示色が異なる）として、内気ＲＡの絶対湿度が複数段階の湿度高低区分のうちのいずれであるかを表示するように構成してある。
【００５３】
前記設定部５２は、操作部１４のケーシング内に設けてあり、例えば、この空調装置の設置時に設置作業者が住宅内の状況に応じた設定段階を設定するために操作するものである。
そして、前記設定部５２は、前記設定段階として、絶対湿度の複数の段階のうちのいずれかの段階を設定するように構成してある。
ちなみに、予め、前記設定段階として、標準的な絶対湿度の段階、例えば２段階絶対湿度に設定してあり、住宅の状況に応じて変更設定することになる。
例えば、排気口６３を設けた廊下６５が洗面室に隣接していて、絶対湿度検出部Ｍによる絶対湿度の検出値が、複数の空調対象室６２の平均的な絶対湿度よりも高めになると考えられる場合は、前記設定段階を高い側に変更設定する。
【００５４】
次に、前記運転制御部１３の制御動作について、説明する。
運転制御部１３は、前記操作部１４の運転切換スイッチ５１にて通常換気運転が指令されると通常換気運転を連続して実行し、前記操作部１４の運転切換スイッチ５１にて除湿換気運転が指令されると、前記絶対湿度検出部Ｍの検出情報に基づいて、前記調湿換気運転と前記通常換気運転とに切り換えるように構成してある。
【００５５】
前記運転制御部１３は、前記除湿換気運転では、前記給気送風機７及び前記排気送風機９夫々を作動させ、前記調湿ロータ１０を予め設定した調湿用設定速度にて回転駆動するように前記電動モータ１１を作動させ、前記除湿用熱動弁３７を開弁して前記除湿用加熱器１２を加熱作用状態にする。
【００５６】
この除湿換気運転では、図１を参照すると、内気吸込口３から内部排気路８に吸い込まれた内気ＲＡは、顕熱交換器２５の第２熱交換流路、加熱作用状態の除湿用加熱器１２、前記調湿用設定速度にて回転する調湿ロータ１０を順次通過して、排気送出口４から排気導出ダクト６８を通じて排出用空気ＥＡとして屋外に排出され、一方、給気吸込口１から内部給気路６に吸い込まれた外気ＯＡは、前記調湿用設定速度にて回転する調湿ロータ１０、顕熱交換器２５の第１熱交換流路を順次通過して通流して、給気送出口２から給気ダクト６４を通じて供給用空気ＳＡとして各空調対象室６２に供給される。
【００５７】
そして、内気ＲＡは、顕熱交換器２５を通過するときに、外気ＯＡとの熱交換により加熱され、更に、除湿用加熱器１２を通過することで加熱され、そのように加熱された内気ＲＡが調湿ロータ１０を通過するときに調湿ロータ１０から放湿されて加湿された後、排出用空気ＥＡとして屋外に排出され、一方、外気ＯＡは、調湿ロータ１０を通過するときに、その外気ＯＡ中の水蒸気が調湿ロータ１０に吸収されて除湿されると共に凝縮熱により加熱され、そのように除湿並びに加熱された外気ＯＡが顕熱交換器２５を通過するときに内気ＲＡとの熱交換により冷却され、そのように除湿並びに冷却された外気ＯＡが供給用空気ＳＡとして各空調対象室６２に供給されるので、各空調対象室６２が換気されながら除湿される。
【００５８】
前記運転制御部１３は、前記通常換気運転では、前記給気送風機７及び前記排気送風機９夫々を作動させ、前記電動モータ１１を停止させて前記調湿ロータ１０の回転を停止させ、前記除湿用熱動弁３７を閉弁して前記除湿用加熱器１２を加熱停止状態にする。
この通常換気運転では、図１を参照すると、内気吸込口３から内部排気路８に吸い込まれた各空調対象室６２の内気ＲＡは、顕熱交換器２５の第２熱交換流路、加熱停止状態の除湿用加熱器１２、回転停止状態の調湿ロータ１０を順次通過して、排気送出口４から排気導出ダクト６８を通じて排出用空気ＥＡとして屋外に排出され、一方、給気吸込口１から内部給気路６に吸い込まれた外気ＯＡは、回転停止状態の調湿ロータ１０、顕熱交換器２５の第１熱交換流路を順次通過して通流して、給気送出口２から給気ダクト６４を通じて供給用空気ＳＡとして各空調対象室６２に供給されることになり、各空調対象室６２が換気される。
【００５９】
次に、図８に示すフローチャートに基づいて、前記運転制御部１３の制御動作を説明する。
前記運転制御部１３は、前記運転切換スイッチ５１にて通常換気運転が指令された状態では、前記絶対湿度導出部Ｃに絶対湿度を求めさせながら、前記通常換気運転を実行し、前記運転切換スイッチ５１にて除湿換気運転が指令された状態では、前記絶対湿度導出部Ｃに絶対湿度を求めさせて、その絶対湿度導出部Ｃにて求められた絶対湿度の段階が設定段階以上のときは前記除湿換気運転を実行し、前記絶対湿度導出部Ｃにて求められた絶対湿度の段階が設定段階よりも低いときは前記通常換気運転を実行し、前記通常換気運転及び前記除湿換気運転のいずれの実行中も、前記表示部５３に、前記絶対湿度導出部Ｃにて求められた絶対湿度が複数段階の湿度高低区分のうちのいずれであるかを表示する（ステップ＃１〜８）。
【００６０】
〔第２実施形態〕
以下、本発明の第２実施形態を説明する。
この第２実施形態の空調装置は、加湿タイプであり、図９に示すように、上記の第１実施形態と同様に、外気吸込口１、給気送出口２、内気吸込口３及び排気送出口４を備えたケーシング５を用いて組み付けて構成してある。
そして、第１実施形態と同様に、空調装置Ｄを住宅の天井裏等に設置して、外気ＯＡを導入する外気導入ダクト６１を前記外気吸込口１に接続し、複数の空調対象室６２夫々の給気口６３に分岐接続した給気ダクト６４を前記給気送出口２に接続し、廊下６５の天井に設けた排気口６６に接続した排気ダクト６７を前記内気吸込口３に接続し、内気ＲＡを屋外に排出する排気導出ダクト６８を前記排気送出口４に接続して、前記外気導入ダクト６１を通じて導入した外気ＯＡを調湿して供給用空気ＳＡとして前記給気ダクト６４を通じて各給気口６３から各空調対象室６２に供給する共に、前記排気口６６から前記排気ダクト６７を通じて吸込んだ内気ＲＡを排出用空気ＥＡとして前記排気導出ダクト６８を通じて屋外に排出するように構成してある。
【００６１】
この加湿タイプの空調装置は、図９に示すように、外気ＯＡを供給用空気ＳＡとして空調対象室６２に供給する給気風路Ｖｓに通風作用する給気送風手段としての給気送風手段としての給気送風機７と、住宅内の空気である内気ＲＡを排出用空気ＥＡとして屋外に排出する排気風路Ｖｅに通風作用する排気送風手段としての排気送風機９と、排気風路Ｖｅを通流する内気ＲＡから吸湿した水分を給気風路Ｖｓを通流する外気ＯＡに放湿する形態で調湿作用する調湿手段としての調湿部Ｂと、前記給気風路Ｖｓにおける前記調湿部Ｂにて外気ＯＡに放湿作用させる箇所よりも通風方向上手側箇所を通流する外気ＯＡと前記排気風路Ｖｅにおける前記調湿部Ｂにて内気ＲＡに吸湿作用させる箇所よりも通風方向下手側箇所を通流する空気とを熱交換させる顕熱交換部Ｓと、前記調湿部Ｂにて吸湿される前の内気ＲＡの絶対湿度を検出する絶対湿度検出手段としての絶対湿度検出部Ｍと、この空調装置の運転を制御する運転制御手段としての運転制御部１３と、その運転制御部１３に各種制御情報を指令する遠隔操作式の操作部１４等を備えて構成してある。
【００６２】
更に、この第２実施形態においては、前記内部給気路６における前記顕熱交換器２５よりも通風方向上手側箇所に、外気ＯＡの温度を検出する外気温度センサＴｏを設けてある。
【００６３】
上記の第１実施形態と同様に、前記給気風路Ｖｓは、前記ケーシング５の内部に形成した内部給気路６と、その内部給気路６における通風方向上手側に接続した前記外気導入ダクト６１と、その内部給気路６における通風方向下手側に接続した前記給気ダクト６４とを備えて構成してある。
又、前記排気風路Ｖｅは、前記ケーシング６の内部に形成した内部排気路８と、その内部排気路８における通風方向上手側に接続した前記排気ダクト６７と、その内部排気路８における通風方向下手側に接続した前記排気導出ダクト６８とを備えて構成してある。
つまり、前記給気風路Ｖｓを、供給用空気ＳＡを住宅内の複数の空調対象湿室６２に供給すべく複数に分岐し、前記排気風路Ｖｅにおける内気ＲＡの吸引部としての排気口６６を、前記複数の空調対象室６２にドアのアンダーカット等を介して通気可能に連通された住宅内の特定の空間である廊下６５に吸引作用するように構成してある。
【００６４】
以下、空調装置の各部について説明を加える。
上記の第１実施形態と同様に、第１吸込口５ａ、第１送出口５ｂ、第２吸込口５ｃ及び第２送出口５ｄを備えたケーシング５の内部を、中間隔壁１５にて、前記第１吸込口５ａ及び前記第２吸込口５ｃの側の風路形成部１６と前記第２送出口５ｄ及び前記第１送出口５ｂの側の送風機室形成部１７とに仕切り、更に、その送風機室形成部１７を、送風機室隔壁１８にて、前記第１送出口５ｂの側の第１送風機室１９と前記第２送出口５ｄの側の第２送風機室２０とに仕切ってある。
【００６５】
前記調湿部Ｂは、第１実施形態と同様に構成した潜熱交換ユニットＬと、前記給気風路Ｖｓにおける前記顕熱交換部Ｓと前記調湿ロータ１０との間の箇所を通流する空気に対して加熱作用する加湿用加熱器４０（加熱手段に相当する）とを備えて構成してある。
【００６６】
そして、第１実施形態と同様に構成した潜熱交換ユニットＬ及び前記顕熱交換部Ｓとしての顕熱交換器２５を、第１実施形態と同様に、前記ケーシング５内における前記風路形成部１６内に並べて設け、更に、第１実施形態と同様に、前記風路形成部１６内における潜熱交換ユニットＬよりも第１吸込口５ａの側の部分を、風路仕切り壁２６により、第１吸込室２７と第２送出室２８とに仕切り、前記風路形成部１６内における潜熱交換ユニットＬよりも第２吸込口５ｃの側の部分を、顕熱交換器２５により、第１接続室２９、第１送出室３０、第２吸込室３１及び第２接続室３２の４室に仕切ってある。
【００６７】
前記顕熱交換器２５の配置形態について説明を加えると、この第２実施形態においても、上記の第１実施形態と同様に、前記顕熱交換器２５は、その複数の第２熱交換流路の出口側開口部が形成された側面２５ｄが、前記調湿ロータ１０の軸芯方向の端面と４５°よりも小さい角度で対向する状態に設けてある。
【００６８】
前記加湿用加熱器４０は、熱媒を通流させる熱媒流通管（図示省略）を空気の通過が可能なように蛇行状に配管した熱媒循環式に構成し、図９に示すように、その加湿用加熱器４０を、前記第２接続室３２内に、前記顕熱交換器２５における前記複数の第２熱交換流路の出口が形成された側面２５ｄに近接させた状態で設けてある。
そして、その加湿用加熱器４０と熱源機（図示省略）とを熱媒循環路４１にて接続して、その熱源機にて加熱した熱媒を熱媒循環路４１を通じて加湿用加熱器４０に循環供給するように構成してある。
そして、前記熱媒循環路４１に加湿用熱動弁４２を設けて、その加湿用熱動弁４２を開閉して前記加湿用加熱器４０への熱媒の供給を断続することにより、前記加湿用加熱器４０を加熱作用状態と加熱停止状態とに切り換え自在に構成してある。
【００６９】
この第２実施形態においても、第１実施形態と同様に、前記第１吸込口５ａ、前記第２吸込口５ｃに、夫々、第１フィルタ３８、第２フィルタ３９を設けてある。
【００７０】
この第２実施形態においては、前記第１吸込口５ａを前記内気吸込口３として、前記第１送出口５ｂを前記排気送出口４として夫々用い、前記排気送風機９を前記第１連通開口３４に吸引作用するように前記第１送風機室１９内に設けて、前記内部排気路８を、前記第１吸込室２７、前記第１接続室２９及び前記第１送出室３０とを備えて構成してある。
そして、前記排気送風機９を作動させることにより、前記内気吸込口３から吸い込んだ内気ＲＡを、第１吸込室２７、調湿ロータ１０、第１接続室２９、顕熱交換器２５の第１熱交換流路、第１送出室３０、第１連通開口３４を順次通過させる形態で、内部排気路８を通して通流させて、排気送出口４から排出用空気ＥＡとして送出するように構成してある。
【００７１】
又、前記第２吸込口５ｃを前記外気吸込口１として、前記第２送出口５ｄを前記給気送出口２として夫々用い、前記給気送風機７を前記第２連通開口３５に吸引作用するように前記第２送風機室２０内に設けて、前記内部給気路６を、前記第２吸込室３１、前記第２接続室３２及び前記第２送出室２８とを備えて構成してある。
そして、前記給気送風機７を作動させることにより、前記外気吸込口１から吸い込んだ外気ＯＡを、第２吸込室３１、顕熱交換器２５の第２熱交換流路、第２接続室３２、調湿ロータ１０、第２送出室２８、第２連通開口３５を順次通過させる形態で、内部給気路６を通して通流させて、給気送出口２から供給用空気ＳＡとして送出するように構成してある。
【００７２】
前記絶対湿度検出部Ｍは、前記内部排気路８における前記調湿ロータ１０よりも通風方向上手側箇所に設けて、内気ＲＡの温度を検出する温度検出手段としての温度センサＴと、前記内部排気路８における前記調湿ロータ１０よりも通風方向上手側箇所に設けて、内気ＲＡの相対湿度を検出する相対湿度検出手段としての相対湿度センサＨと、それら温度センサＴ及び相対湿度センサＨの検出情報に基づいて絶対湿度を導出する絶対湿度導出手段としての絶対湿度導出部Ｃとを備えて構成してある。
この絶対湿度導出部Ｃは、前記運転制御部１３を用いて構成してある。
【００７３】
前記絶対湿度導出部Ｃは、第１実施形態と同様に、温度及び相対湿度と絶対湿度との関係を示す図６に示す如き絶対湿度導出用情報としてのマップデータに基づいて、絶対湿度を求めるように構成されている。
又、第１実施形態と同様に、図７に示すように、絶対湿度（ｇ／ｋｇ）の高低を示す絶対湿度の段階を複数（この実施形態では７段階）設定して、絶対湿度段階情報として前記絶対湿度導出部Ｃに記憶させてある。
そして、絶対湿度導出部Ｃは、このマップデータ及び段階情報から、温度センサＴの検出温度及び相対湿度センサＨの検出相対湿度に対応する絶対湿度の段階を求めるように構成してある。
【００７４】
前記運転制御部１３は、前記給気送風機７及び前記排気送風機９を作動させ、並びに、前記電動モータ１１を作動させ且つ前記加湿用加熱器４０を加熱作用状態にして、調湿部Ｂを調湿作用させる加湿換気運転（調湿運転に相当する）と、前記給気送風機７及び前記排気送風機９を作動させ、並びに、前記電動モータ１１を停止させ且つ前記加湿用加熱器４０を加熱停止状態にして、調湿部Ｂの調湿作用を停止させる通常換気運転と、前記給気送風機７及び前記排気送風機９を作動させ、並びに、前記電動モータ１１を停止させ且つ前記加湿用加熱器４０を加熱作用状態にして、調湿部Ｂの調湿作用を停止させる温風換気運転とに切り換え自在に構成してある。
つまり、運転制御部１３を、換気運転として、前記通常換気運転と前記温風換気運転とに切り換え自在に構成してある。
【００７５】
そして、前記運転制御部１３は、絶対湿度検出部Ｍの検出情報に基づいて、内気の絶対湿度が加湿運転用条件（調湿運転用条件に相当する）になると前記加湿換気運転を実行し、内気の絶対湿度が換気運転用条件になると、前記外気温度センサＴｏにて検出される外気ＯＡの温度が設定温度以上のときは前記通常換気運転を実行し、前記外気温度センサＴｏにて検出される外気ＯＡの温度が設定温度よりも低いときは前記温風換気運転を実行するように構成してある。
ちなみに、前記加湿運転用条件としては、内気の絶対湿度が設定段階以下である条件に設定し、前記換気運転用条件としては、内気の絶対湿度が設定段階よりも大きい条件に設定してある。又、前記設定温度は、例えば、１５°Ｃに設定する。
【００７６】
図９に示すように、前記操作部１４には、前記加湿換気運転と前記換気運転とに切り換える運転切換スイッチ５１、前記加湿運転用条件及び前記換気運転用条件を変更設定する設定手段としての設定部５２、及び、前記絶対湿度検出部Ｍにて検出された内気の絶対湿度が複数段階の湿度高低区分のうちのいずれであるかを表示する表示手段としての表示部５３等を設けてある。
前記表示部５３は、図５に示す如く、第１実施形態と同様に構成してあるので、説明を省略する。
そして、第１実施形態と同様に、前記運転制御部１３は、複数のセグメント５３ｓのうち、前記絶対湿度導出部Ｃにて求められた絶対湿度の段階に対応するセグメント５３ｓを他のセグメント５３ｓとは異なる表示状態として、内気ＲＡの絶対湿度が複数段階の湿度高低区分のうちのいずれであるかを表示するように構成してある。
【００７７】
前記設定部５２も、第１実施形態と同様に構成してあるので、説明を省略する。ちなみに、予め、前記設定段階として、標準的な絶対湿度の段階、例えば６段階絶対湿度に設定してあり、住宅の状況に応じて変更設定することになる。
【００７８】
次に、前記運転制御部１３の制御動作について、説明する。
運転制御部１３は、前記操作部１４の運転切換スイッチ５１にて換気運転が指令されると、前記外気温度センサＴｏにて検出される外気ＯＡの温度が設定温度以上のときは前記通常換気運転を実行し、前記外気温度センサＴｏにて検出される外気ＯＡの温度が設定温度よりも低いときは前記温風換気運転を実行し、前記操作部１４の運転切換スイッチ５１にて加湿換気運転が指令されると、前記絶対湿度導出部Ｃにて求められた絶対湿度の段階が設定段階以下の場合は前記加湿換気運転を実行し、前記絶対湿度導出部Ｃにて求められた絶対湿度の段階が設定段階よりも高い場合は、前記外気温度センサＴｏにて検出される外気ＯＡの温度が設定温度以上のときは前記通常換気運転を実行し、前記外気温度センサＴｏにて検出される外気ＯＡの温度が設定温度よりも低いときは前記温風換気運転を実行する。
【００７９】
前記運転制御部１３は、前記加湿換気運転では、前記給気送風機７及び前記排気送風機９夫々を作動させ、前記調湿ロータ１０を予め設定した調湿用設定速度にて回転駆動するように前記電動モータ１１を作動させ、前記加湿用熱動弁４２を開弁して前記加湿用加熱器４０を加熱作用状態にする。
【００８０】
この加湿換気運転では、図９を参照すると、内気吸込口３から内部排気路８に吸い込まれた内気ＲＡは、前記調湿用設定速度にて回転する調湿ロータ１０、顕熱交換器２５の第１熱交換流路を順次通過して通流して、排気送出口４から排気導出ダクト６８を通じて排出用空気ＥＡとして屋外に排出され、一方、給気吸込口１から前記内部給気路６に吸い込まれた外気ＯＡは、顕熱交換器２５の第２熱交換流路、加熱作用状態の加湿用加熱器４０、前記調湿用設定速度にて回転する調湿ロータ１０を順次通過して通流して、給気送出口２から給気ダクト６４を通じて各空調対象室６２に供給される。
【００８１】
そして、内気ＲＡは、調湿ロータ１０を通過するときに、その内気ＲＡ中の水蒸気が調湿ロータ１０に吸収されて内気ＲＡが除湿されると共に凝縮熱により加熱され、その除湿並びに加熱された内気ＲＡが顕熱交換器２５を通過するときに外気ＯＡとの熱交換により冷却された後、排出用空気ＥＡとして屋外に排出され、一方、外気ＯＡは、顕熱交換器２５を通過するときに内気ＲＡとの熱交換により加熱され、更に、前記加湿用加熱器４０を通過することで加熱され、そのように加熱された外気ＯＡが調湿ロータ１０を通過するときに調湿ロータ１０から放湿されて加湿され、そのように加湿並びに加熱された外気ＯＡが供給用空気ＳＡとして各空調対象室６２に供給されるので、各空調対象室６２が換気されながら加湿される。
【００８２】
前記運転制御部１３は、前記通常換気運転では、前記給気送風機７及び前記排気送風機９夫々を作動させ、前記電動モータ１１を停止させて前記調湿ロータ１０の回転を停止させ、前記加湿用熱動弁４２を閉弁して前記加湿用加熱器４０を加熱停止状態にする。
この通常換気運転では、図９を参照すると、内気吸込口３から内部排気路８に吸い込まれた各空調対象室６２の内気ＲＡは、回転停止状態の調湿ロータ１０、顕熱交換器２５の第１熱交換流路を順次通過して通流して、排気送出口４から排気導出ダクト６８を通じて排出用空気ＥＡとして屋外に排出され、一方、給気吸込口１から内部給気路６に吸い込まれた外気ＯＡは、顕熱交換器２５の第２熱交換流路、加熱停止状態の加湿用加熱器４０、回転停止状態の調湿ロータ１０を順次通過して、顕熱交換器２５において内気ＲＡとの熱交換により加熱された後、給気送出口２から給気ダクト６４を通じて供給用空気ＳＡとして各空調対象室６２に供給されることになり、各空調対象室６２が換気される。
【００８３】
前記運転制御部１３は、前記温風換気運転では、前記給気送風機７及び前記排気送風機９夫々を作動させ、前記電動モータ１１を停止させて前記調湿ロータ１０の回転を停止させ、前記加湿用熱動弁４２を開弁して前記加湿用加熱器４０を加熱作用状態にする。
この通常換気運転では、図９を参照すると、内気吸込口３から内部排気路８に吸い込まれた各空調対象室６２の内気ＲＡは、回転停止状態の調湿ロータ１０、顕熱交換器２５の第１熱交換流路を順次通過して通流して、排気送出口４から排気導出ダクト６８を通じて排出用空気ＥＡとして屋外に排出され、一方、給気吸込口１から内部給気路６に吸い込まれた外気ＯＡは、顕熱交換器２５の第２熱交換流路、加熱作用状態の加湿用加熱器４０、回転停止状態の調湿ロータ１０を順次通過して、顕熱交換器２５において内気ＲＡとの熱交換により加熱され且つ加湿用加熱器４０にて加熱された後、給気送出口２から給気ダクト６４を通じて供給用空気ＳＡとして各空調対象室６２に供給されることになり、各空調対象室６２が換気される。
【００８４】
つまり、通常換気運転及び温風換気運転のいずれにおいても、外気ＯＡが顕熱交換器２５において内気ＲＡとの熱交換により加熱されて、供給用空気ＳＡとして空調対象室６２に供給されることになる。
しかしながら、外気ＯＡの温度が低いときに通常換気運転を行うと、外気ＯＡが内気ＲＡとの熱交換により加熱されたとしても、住人が寒さを感じることがない程度にまで十分に加熱されない場合があり、住人が寒さを感じる虞がある。
そこで、外気ＯＡの温度が設定温度以上のときは前記通常換気運転を実行し、外気ＯＡの温度が設定温度よりも低いときは前記温風換気運転を実行するように構成することにより、住人が寒さを感じるのを抑制しながら、換気することが可能となる。
【００８５】
次に、図１０に示すフローチャートに基づいて、前記運転制御部１３の制御動作を説明する。
前記運転制御部１３は、前記運転切換スイッチ５１にて換気運転が指令された状態では、前記絶対湿度導出部Ｃに絶対湿度を求めさせながら、前記外気温度センサＴｏにて検出される外気ＯＡの温度が設定温度以上のときは前記通常換気運転を実行し、前記外気温度センサＴｏにて検出される外気ＯＡの温度が設定温度よりも低いときは前記温風換気運転を実行して、前記表示部５３に、前記絶対湿度導出部Ｃにて求められた絶対湿度が複数段階の湿度高低区分のうちのいずれであるかを表示する（ステップ＃１１〜１５，２０）。
又、前記運転制御部１３は、前記運転切換スイッチ５１にて加湿換気運転が指令された状態では、前記絶対湿度導出部Ｃに絶対湿度を求めさせて（ステップ＃１１，１６，１７）、その絶対湿度導出部Ｃにて求められた絶対湿度の段階が設定段階以下の場合は、前記加湿換気運転を実行して、前記表示部５３に、前記絶対湿度導出部Ｃにて求められた絶対湿度が複数段階の湿度高低区分のうちのいずれであるかを表示し（ステップ＃１８〜２０）、前記絶対湿度導出部Ｃにて求められた絶対湿度の段階が設定段階よりも高い場合は、前記外気温度センサＴｏにて検出される外気ＯＡの温度が設定温度以上のときは前記通常換気運転を実行し、前記外気温度センサＴｏにて検出される外気ＯＡの温度が設定温度よりも低いときは前記温風換気運転を実行して、前記表示部５３に、前記絶対湿度導出部Ｃにて求められた絶対湿度が複数段階の湿度高低区分のうちのいずれであるかを表示する（ステップ＃１８，１３〜１５，２０）。
【００８６】
〔別実施形態〕
次に別実施形態を説明する。
（イ）  上記の各実施形態においては、表示部５３に、絶対湿度検出部Ｍにて検出された絶対湿度が複数段階の湿度高低区分のうちのいずれであるかを表示するように構成したが、表示部５３に、絶対湿度検出部Ｍにて検出された絶対湿度そのものを表示するように構成しても良い。
【００８７】
（ロ）  上記の各実施形態においては、調湿運転用条件及び換気運転用条件を、絶対湿度の高低に区分した絶対湿度の段階を用いて設定したが、絶対湿度そのものを用いて設定しても良い。
【００８８】
（ハ）  上記の第２実施形態において、前記通常換気運転と前記温風換気運転との切り換えを、外気ＯＡの温度を検出する外気温度センサＴｏの検出温度に基づいて行う場合について例示したが、これに限定されるものではない。
例えば、内気ＲＡの温度を検出する前記温度センサＴの検出温度に基づいて、内気ＲＡの温度の温度が内気温度参照用の設定温度以上のときは前記通常換気運転を実行し、内気ＲＡの温度の温度が前記内気温度参照用の設定温度よりも低いときは前記温風換気運転を実行するように構成しても良い。
あるいは、内気ＲＡの温度を検出する温度センサＴ及び外気ＲＡの温度を検出する外気温度センサＴｏ夫々の検出温度に基づいて、外気ＲＡの温度が内気ＲＡの温度よりも低い状態で、両者の温度差が設定温度差以下のときは前記通常換気運転を実行し、前記温度差が前記設定温度差よりも大きいときは前記温風換気運転を実行するように構成しても良い。
【００８９】
（ニ）  前記通常換気運転と前記温風換気運転との切り換えを、人為操作で行うように構成しても良い。
【００９０】
（ホ）  上記の第２実施形態においては、前記運転制御部１３を、前記換気運転として、前記通常換気運転と前記温風換気運転とに切り換え自在に構成する場合について例示したが、前記換気運転として、単に前記通常換気運転のみを行うように構成しても良い。
この場合は、運転切換スイッチ５１にて換気運転が指令された状態では、通常換気運転を連続して実行し、運転切換スイッチ５１にて加湿換気運転が指令された状態では、絶対湿度導出部Ｃにて求められた絶対湿度の段階が設定段階以下の場合は、前記加湿換気運転を実行し、前記絶対湿度導出部Ｃにて求められた絶対湿度の段階が設定段階よりも高い場合は、前記通常換気運転を実行するように構成する。
【００９１】
（ヘ）  前記調湿部Ｂの具体構成は、上記の各実施形態において例示した構成に限定されるものではなく、例えば、凝縮器と蒸発器とにわたって冷媒を循環させるように構成した冷凍回路等、種々の構成が可能である。
【００９２】
（ト）  顕熱交換部Ｓを構成するに、上記の各実施形態においては、静止型の顕熱交換器２５にて構成したが、一部を給気風路Ｖｓに位置させ且つ他の一部を排気風路Ｖｅに位置させるように配置される顕熱交換ロータ及びその顕熱交換ロータにおける前記給気風路Ｖｓに位置させる部分及び前記排気風路Ｖｅに位置させる部分を回転に伴って変更させるように前記顕熱交換ロータを駆動回転する顕熱交換用電動モータを備えた回転型に構成しても良い。
【００９３】
（チ）  空調装置を除湿換気運転及び加湿換気運転の両方が実行可能なように構成しても良い。
（リ  除湿用加熱器１２や加湿用加熱器４０は、熱媒循環式に限定されるものではなく、例えば、電気ヒータでも良い。
【図面の簡単な説明】
【００９４】
【図１】第１実施形態に係る空調装置の全体構成を示す図
【図２】図１におけるＩＩ−ＩＩ矢視図
【図３】図１におけるＩＩＩ−ＩＩＩ矢視図
【図４】潜熱交換ユニットの斜視図
【図５】表示部の表示形態を示す図
【図６】温度及び相対湿度と絶対湿度との関係を示す図
【図７】絶対湿度における複数段階の湿度高低区分を説明する図
【図８】第１実施形態に係る空調装置の制御動作のフローチャートを示す図
【図９】第２実施形態に係る空調装置の全体構成を示す図
【図１０】第２実施形態に係る空調装置の制御動作のフローチャートを示す図
【図１１】空調装置の設置状態を示す図
【符号の説明】
【００９５】
７    給気送風手段
９    排気送風手段
１３  運転制御手段
４０  加熱手段
５２  設定手段
５３  表示手段
６２  空調対象空間
６５  特定の空間
６６  吸引部
Ｂ    調湿手段
Ｃ    絶対湿度導出手段
Ｈ    相対湿度検出手段
Ｍ    絶対湿度検出手段
Ｔ    温度検出手段
Ｖｅ  排気風路
Ｖｓ  給気風路
【図１】
2008145018.tif 000003
【図２】
2008145018.tif 000004
【図３】
2008145018.tif 000005
【図４】
2008145018.tif 000006
【図５】
2008145018.tif 000007
【図６】
2008145018.tif 000008
【図７】
2008145018.tif 000009
【図８】
2008145018.tif 000010
【図９】
2008145018.tif 000011
【図１０】
2008145018.tif 000012
【図１１】
2008145018.tif 000013